(57)【要約】【課題】  液晶画像表示装置にＤＶＤ等の記録再生装置を設ける際、液晶画像表示装置の筐体に設けられる取付カバーなどの形状の一部を変更するのみで、容易に記録再生装置とこれに附随する記録再生装置用ボタンなどを設けることが可能な自由度が高く、且つコストの低減を図った液晶画像表示装置を提供する。【解決手段】  液晶テレビジョン受像機１の筐体５内にＬＣＤ装置１３を固定する取付カバー１４を設け、この取付カバー１４にＬＣＤ装置１３を操作するＬＣＤ用操作ボタン１０が設ける。筐体５内に光ディスクを記録再生する記録再生装置３０を設ける際、取付カバー１４に記録再生装置３０を操作する記録再生装置用操作ボタン３３の取付位置がＬＣＤ用操作ボタン１０の取付位置と異なる以外、取付カバー１４を共通化する。これにより、記録再生装置用操作ボタン３３を、ＬＣＤ装置１３を固定する取付カバー１４へ兼用して取り付けることができるのでコストの低減を図ることができる。【選択図】      図９
2006019865.tif 000002
【特許請求の範囲】
【請求項１】
液晶画像表示装置の筐体内にＬＣＤ装置を固定する取付カバーを設け、該取付カバーに前記ＬＣＤ装置を操作するＬＣＤ用操作ボタンが設けられた液晶画像表示装置において、前記筐体内に光ディスクを記録再生する記録再生装置を設ける際、前記記録再生装置を操作する記録再生装置用操作ボタンの取付位置が前記ＬＣＤ用操作ボタンの取付位置と異なる以外、前記取付カバーを共通化したことを特徴とする液晶画像表示装置。
【請求項２】
前記ＬＣＤ用操作ボタンは、前記筐体の上面、且つ左右方向のほぼ中央に設けられていることを特徴とする請求項１記載の液晶画像表示装置。
【請求項３】
前記筐体内に前記記録再生装置を設けた際、前記ＬＣＤ用操作ボタンと前記記録再生装置用操作ボタンとは、前記筐体の上面、且つ左右方向のほぼ中央に設けられていることを特徴とする請求項２記載の液晶画像表示装置。
【発明の詳細な説明】
【技術分野】
【０００１】
本発明は、液晶テレビジョン受像機などの画像を表示する液晶画像表示装置に関し、詳しくは、記録媒体であるＤＶＤ（Ｄｉｇｉｔａｌ  Ｖｅｒｓａｔｉｌｅ  Ｄｉｓｋ）
等の光ディスクを記録再生可能な記録再生装置を取り付け可能な液晶画像表示装置に関するものである。
【背景技術】
【０００２】
近年、ＤＶＤ等の光ディスクの記録再生装置をテレビジョン受像機内に備え、単独のテレビジョン受像機により、光ディスクの再生などとテレビジョン放送との両方を視聴することができる液晶テレビジョン受像機が普及してきており、このような、従来技術が特許文献１及び特許文献２には開示されている。
【０００３】
【特許文献１】特開２００１−３０７４７０号公報
【特許文献２】特開２００１−３３２０７４号公報
【特許文献３】特開平９−１８２０００号公報フォームの始まり
【発明の開示】
【発明が解決しようとする課題】
【０００４】
上記背景技術においては、テレビの機能とＤＶＤ等の光ディスクの記録再生装置との機能を単独の電子機器に備え、ＤＶＤの再生とテレビジョン放送の両方の視聴を楽しむことができるものではあるが、このような電子機器を製造するにあたり、例えば、既存のテレビジョン受像機に光ディスクの記録再生装置を後付けすることは、電子機器の筐体内に記録再生装置を取り付けるための空間部がある際には取り付けることはできるが、実際には、記録再生装置の取り付けに付随して、記録再生装置を操作する操作ボタンや回路基板を設ける必要があり、そのレイアウトが難しくならざるを得なかった。
【０００５】
本発明は、上記課題を鑑みてなされたもので、液晶画像表示装置の筐体内にＤＶＤ等の記録再生装置を設ける際、液晶画像表示装置の筐体に設けられる取付カバーなどの形状の一部を変更するのみで、記録再生装置を操作する記録再生装置用ボタンなどを設けることが可能な低コストで安価な液晶画像表示装置を提供することを目的とする。
【課題を解決するための手段】
【０００６】
請求項１に係る液晶画像表示装置は、液晶画像表示装置の筐体内にＬＣＤ装置を固定する取付カバーを設け、該取付カバーに前記ＬＣＤ装置を操作するＬＣＤ用操作ボタンが設けられた液晶画像表示装置において、前記筐体内に光ディスクを記録再生する記録再生装置を設ける際、前記記録再生装置を操作する記録再生装置用操作ボタンの取付位置が前記ＬＣＤ用操作ボタンの取付位置と異なる以外、前記取付カバーを共通化したことを特徴とする。
【０００７】
請求項１の構成によれば、液晶画像表示装置に記録再生装置を設ける際、の取付位置が前記ＬＣＤ用操作ボタンの取付位置と異なる以外、前記取付カバーを共通化できるので、コストの低減を図ることができる。
【０００８】
請求項２に係る液晶画像表示装置は、請求項１の液晶画像表示装置において、前記ＬＣＤ用操作ボタンは、前記筐体の上面、且つ左右方向のほぼ中央に設けられていることを特徴とする。
【０００９】
請求項２の構成によれば、液晶画像表示装置の操作者は、ＬＣＤ用操作ボタンが筐体の上面であると共にこの筐体の左右方向のほぼ中央に設けられているので、ＬＣＤ用操作ボタンにより何れの方向からでも容易にＬＣＤ装置の操作を行うことができる。
【００１０】
請求項３に係る液晶画像表示装置は、請求項２の液晶画像表示装置において、前記筐体内に前記記録再生装置を設けた際、前記ＬＣＤ用操作ボタンと前記記録再生装置用操作ボタンとは、前記筐体の上面、且つ左右方向のほぼ中央に設けられていることを特徴とする。
【００１１】
請求項３の構成によれば、記録再生装置が液晶画像表示装置に設けられた際、記録再生装置を操作する記録再生装置用操作ボタンと液晶画像表示装置を操作するＬＣＤ用操作ボタンが筐体の上面であると共にこの筐体の左右方向のほぼ中央に設けられているので、何れの方向からでも簡単にＬＣＤ装置と記録再生装置の操作を行うことができる。
【発明の効果】
【００１２】
以上のように、請求項１に係る液晶画像表示装置の発明によれば、液晶画像表示装置の筐体内にＬＣＤ装置を固定する取付カバーを設け、該取付カバーに前記ＬＣＤ装置を操作するＬＣＤ用操作ボタンが設けられた液晶画像表示装置において、前記筐体内に光ディスクを記録再生する記録再生装置を設ける際、前記記録再生装置を操作する記録再生装置用操作ボタンの取付位置が前記ＬＣＤ用操作ボタンの取付位置と異なる以外、前記取付カバーを共通化したものであり、液晶画像表示装置に記録再生装置を設けた際、記録再生装置用操作ボタンの取付位置が前記ＬＣＤ用操作ボタンの取付位置と異なる以外、前記取付カバーを共通化することで、液晶画像表示装置の部品点数を少なくできるので、コストの低減を図った安価な液晶画像表示装置を提供することができる。
【００１３】
請求項２に係る液晶画像表示装置の発明によれば、請求項１において、前記ＬＣＤ用操作ボタンは、前記筐体の上面、且つ左右方向のほぼ中央に設けられているから、液晶画像表示装置の操作者は、何れの方向からでも容易にＬＣＤ装置の操作を行うことができるので操作性に優れる。
【００１４】
請求項３に係る液晶画像表示装置の発明によれば、請求項２において、前記筐体内に前記記録再生装置を設けた際、前記ＬＣＤ用操作ボタンと前記記録再生装置用操作ボタンとは、前記筐体の上面、且つ左右方向のほぼ中央に設けられているから、記録再生装置が液晶画像表示装置に設けられた際、記録再生装置の記録再生装置用操作ボタンと液晶画像表示装置のＬＣＤ用操作ボタンを、何れの方向からでも簡単に操作を行うことができるので、操作性がよい。
【発明を実施するための最良の形態】
【００１５】
以下、本発明を実施するための最良の形態としての実施例を図１〜図９により以下に説明する。もちろん、本発明は、その発明の趣旨に反しない範囲で、実施例において説明した以外の構成のものに対しても容易に適用可能なことは説明を要するまでもない。
【００１６】
図１はテレビ放送などを受信し視聴することが可能な液晶画像表示装置の正面図であり、図２はその左側面図、図３はその平面図である。本実施例における液晶画像表示装置は、液晶テレビジョン受像機１である。
【００１７】
この液晶テレビジョン受像機１は、分割可能なフロントキャビネット２とバックキャビネット３及びバックカバー４とからなる筐体５により全体が形成され、フロントキャビネット２の前面中央には、画像を表示する表示部６が設けられている。
【００１８】
また、バックキャビネット３の上部には、液晶テレビジョン受像機１を移動する際に用いるハンドル７がネジ止めされ固定されていると共に、バックキャビネット３の下面且つ左右方向の中央には、液晶テレビジョン受像機１を載置するスタンド８がネジ止めされ固定されている。
【００１９】
また、バックキャビネット３の上部の左右方向の中央には、図３に示すようにＬＣＤ装置１３の表示部６の各種操作を行うＬＣＤ（Ｌｉｑｕｉｄ  Ｃｒｙｓｔａｌ  Ｄｉｓｐｌａｙ）用操作ボタン１０が設けられている。なお、これらＬＣＤ用操作ボタン１０は、バックキャビネット３の上部に形成された挿通孔１１側の上方に突設されている。
【００２０】
次に、液晶テレビジョン受像機１の筐体５内に設けられている各種部品及び装置について図４及び５を参照しながら説明する。図４は、液晶テレビジョン受像機１の筐体５内を示すバックキャビネット３及びバックカバー４を取り外した状態の図であり、筐体５内には、フロントキャビネット２の内面に表示部６を備えたＬＣＤ装置１３が取付カバー１４によりネジなどによってフロントキャビネット２に固定されている。
【００２１】
また、取付カバー１４の後側には、図４に示すようにＬＣＤ装置１３などの制御をするテレビ基板２０、デジタル用基板２３、デジタル用基板２３を覆うデジタル用基板シールド２４、複数のジャックが取り付けられているジャック取付板２５，２５，２５などが設けられおり、取付カバー１４の上部には、前述した通りＬＣＤ用操作ボタン１０の位置に対応してバックキャビネット３に挿通孔１１が形成され、ＬＣＤ用操作ボタン１０に構成されるボタンカバー２６が挿通孔１１から外部に露出されている。なお、ＬＣＤ用操作ボタン１０は、図３〜図５に示すように、テレビ用操作基板２７に一体的に取り付けられ、テレビ用操作基板２７を介して取付カバー１４に形成された取付孔２８にネジによりネジ止めされている。
【００２２】
次に、上述した液晶テレビジョン受像機１の筐体５に光ディスクなどの記録媒体を記録再生可能な記録再生装置を設ける際のその構成について図６〜図９を参照しながら説明する。図９は、前述した液晶テレビジョン受像機１の筐体５に記録再生装置３０を設けた状態を示す図である。同図に示すように、この場合には、上述した液晶テレビジョン受像機１の構成とほぼ同等であるので、同一の構成については同様の符号を付しその詳細な説明は省略する。液晶テレビジョン受像機１の筐体５に記録再生装置３０を設ける際には、図９に示すように、筐体５内にさらに記録再生装置３０、この記録再生装置３０の制御などを行う記録再生装置用基板３１、この記録再生装置用基板３１を覆う基板用シールド３２が少なくとも設けられる。そして、取付カバー１４には、図９に示すように、取付孔２８，２８に代えて孔部２８Ａ，２８Ａ，２８Ａ，２８Ａを形成する。そして、これらの孔部２８Ａ，２８Ａ，２８Ａ，２８Ａは、図９に示すように、ＬＣＤ用操作ボタン１０と記録再生装置３０の操作をする記録再生装置用ボタン３３とが孔部２８Ａにネジ止めなどにより固定される。なお、この場合、前述した取付孔２８へのＬＣＤ用操作ボタン１０の取り付けと同様に、ＬＣＤ用操作ボタン１０と記録再生装置用ボタン３２とは、テレビ用操作基板２７と記録再生装置用操作基板３４の各々に一体的に取り付けられ、これらテレビ用操作基板２７と記録再生装置用操作基板３４を介して取付カバー１４に形成された取付孔２８Ａにネジによりネジ止めされ、また、ＬＣＤ用操作ボタン１０と記録再生装置用ボタン３３は、ＬＣＤ用操作ボタン１０に構成されるボタンカバー２６と記録再生装置用ボタン３３に構成されるボタンカバー２６Ａにより覆われ、これらのボタンカバー２６，２６Ａが開口孔３５から外部に露出されている。このように、液晶テレビジョン受像機１の筐体５内に記録再生装置３０を設けた際には、筐体５内にこれに対応する記録再生装置用基板３１を設けると共に、取付孔２８に代えて孔部２８Ａを形成した略同形状の取付カバー１４を兼用して用いる。なお、この場合、図７に示すように、リアキャビネット３ＡにＬＣＤ用操作ボタン１０と記録再生装置用ボタン３２との位置に対応した、開口孔３５の形成されたリアキャビネット３Ａを用いる。なお、ＬＣＤ用操作ボタンバック１０のみに対応したバックキャビネット３をＬＣＤ用操作ボタンバック１０及びバックキャビネット３に対応したリアキャビネット３Ａに代える際には、バックキャビネット３を成形する図示しない金型に入れ子などを使用することで、簡単にリアキャビネット３Ａを形成することができるので、コストを低減できる。なお、液晶テレビジョン受像機１の筐体５内に記録再生装置３０を設ける際には、このリアキャビネット３Ａには、図６に示すように、記録再生装置３０に光ディスクを挿入する開口部１２が形成される。
【００２３】
以上のように、本実施例における液晶画像表示装置たる液晶テレビジョン受像機１は、この液晶テレビジョン受像機１の筐体５内にＬＣＤ装置１３を固定する取付カバー１４を設け、この取付カバー１４にＬＣＤ装置１３を操作するＬＣＤ用操作ボタン１０が取り付けられており、筐体５内に光ディスクを記録再生する記録再生装置３０を設ける際、記録再生装置３０を操作する記録再生装置用操作ボタン３３を取付カバー１４に設けるものであるが、液晶テレビジョン受像機１に記録再生装置３０を設ける場合、記録再生装置３０を操作する記録再生装置用操作ボタン３３の取付位置が前記ＬＣＤ用操作ボタン１０の取付位置と異なる以外、取付カバー１４を共通化したので、液晶テレビジョン受像機１の部品点数を少なくできるので、コストの低減を図った安価な液晶テレビジョン受像機１を提供することができる。さらに、ＬＣＤ用操作ボタン１０は、筐体５の上面、且つ左右方向のほぼ中央に設けられているから、液晶テレビジョン受像機１の操作者は、ＬＣＤ用操作ボタン１０が筐体１４の上面であると共にこの筐体１４の左右方向のほぼ中央に設けられているので、ＬＣＤ用操作ボタン１０により何れの方向からでも容易にＬＣＤ装置１３の操作を行うことができ操作性に優れる。しかも、筐体１４内に記録再生装置３０を設けた際、ＬＣＤ用操作ボタン１０と記録再生装置用操作ボタン３３とは、筐体１４の上面、且つ左右方向のほぼ中央に設けられているから、ＬＣＤ装置１３に加え、記録再生装置３０が液晶テレビジョン受像機１に設けられた際、記録再生装置３０を操作する記録再生装置用操作ボタン３３と液晶テレビジョン受像機１のテレビ放送などのテレビ機能の操作するＬＣＤ用操作ボタン１０が筐体１４の上面であると共にこの筐体１４の左右方向のほぼ中央に設けられているので、何れの方向からでも簡単にＬＣＤ装置１３と記録再生装置３０の操作を行うことができるので操作性がよい。
【００２４】
なお、上述した記録再生とは、記録又は再生、若しくは記録及び再生の両者を意味するものである。また、実施例上の効果として、図３のＬＣＤ用操作ボタン１０、又は図７のＬＣＤ用操作ボタン１０及び記録再生装置用ボタン３３は、床などに載置されるスタンドの載置面の範囲内の上方に配置され設けられているので、これらのＬＣＤ用操作ボタン１０または記録再生装置用ボタン３３をその上方から比較的強い力にて押して操作した際、スタンド８に取り付けられた液晶テレビジョン受像機１は、バランスを崩して倒れることがなく安定した状態で床に載置された状態を維持することができる。
【図面の簡単な説明】
【００２５】
【図１】本発明の液晶テレビジョン受像機を示す正面図である。
【図２】同上、液晶テレビジョン受像機を示す左側面図である。
【図３】同上、ＬＣＤ操作ボタンを備えた液晶テレビジョン受像機を示す平面図である。
【図４】同上、液晶テレビジョン受像機のバックキャビネットを取り外した状態を示す背面図である。
【図５】同上、液晶テレビジョン受像機の筐体の一部を切り欠いた状態を示す平面図である。
【図６】同上、リアキャビネットを取り付けた状態を示す液晶テレビジョン受像機を示す左側面図である。
【図７】同上、ＬＣＤ操作ボタン及び記録再生装置用ボタンを備えた液晶テレビジョン受像機を示す平面図である。
【図８】同上、液晶テレビジョン受像機の筐体の一部を切り欠いた状態を示す平面図である。
【図９】同上、リアキャビネットを取り外した状態の記録再生装置を備えた液晶テレビジョン受像機を示す背面図である。
【符号の説明】
【００２６】
１  液晶テレビジョン受像機（液晶画像表示装置）
５  筐体
１０  ＬＣＤ用操作ボタン
１３  ＬＣＤ装置
１４  取付カバー
３０  記録再生装置
３３  記録再生装置用操作ボタン
【図１】
2006019865.tif 000003
【図２】
2006019865.tif 000004
【図３】
2006019865.tif 000005
【図４】
2006019865.tif 000006
【図５】
2006019865.tif 000007
【図６】
2006019865.tif 000008
【図７】
2006019865.tif 000009
【図８】
2006019865.tif 000010
【図９】
2006019865.tif 000011